(57)【要約】      （修正有）【課題】釣竿に取付けて釣糸をガイドするもので、強度が高くて耐摩耗性に優れたガイドの提供。【解決手段】本発明の釣糸ガイドであるトップガイド１は、フレーム２と取付け部３からなり、フレーム２には貫通した穴４を有し、取付け部３は筒形を成し、取付け部３には嵌入穴５を設けている。トップガイド１は、金属ガラスを用いて成形したもので、釣糸に働く大きな張力が作用しても破損することなく、また釣糸が大きな摩擦を伴って擦れても摩耗しにくいガイドである。【選択図】図１
2017216969.tif 000002
【特許請求の範囲】
【請求項１】
釣竿に取付けて釣糸をガイドする為のガイドにおいて、該ガイドは金属ガラスを材質として成形したことを特徴とする釣具用釣糸のガイド。
【請求項２】
上記ガイドとして釣竿の先端に取付けられるトップガイドとした請求項１記載の釣具用釣糸のガイド。
【請求項３】
上記ガイドとして、トップガイドとリールの間に取付けられるラインガイドとした請求項１記載の釣具用釣糸のガイド。
【請求項４】
上記ガイドとしてリールに取付けられるベールームとした請求項１記載の釣具用釣糸のガイド。
【請求項５】
釣竿に取付けて釣糸をガイドする為のガイドにおいて、該ガイドは金属製として、そのフレームに設けた穴に金属ガラスを材質として成形したガイドリングを嵌めて構成したことを特徴とする釣具用釣糸のガイド。
【発明の詳細な説明】
【技術分野】
【０００１】
本発明はリールに巻付け・巻き戻しする釣糸が釣竿に沿ってスライドする為のガイドに関するものである。
【背景技術】
【０００２】
図５は一般的な釣具を示す具体例である。同図に示すように釣具は釣竿（イ）、釣糸（ロ）、及びリール（ハ）から成り、釣糸（ロ）には先端に針（ニ）と途中には浮き（ホ）を取付けている。そして、針（ニ）と浮き（ホ）の間には重り（ヘ）が取付けられ、上記釣糸（ロ）はリール（ハ）に巻付けられており、使用する際には巻き戻されて釣糸（ロ）は長く伸びることが出来る。
【０００３】
釣竿（イ）に取付けている複数のラインガイド（ト）、（ト）・・・に沿って、リール（ハ）から巻き戻される釣糸（ロ）がスライドし、釣竿（イ）の先端に取付けたトップガイド（チ）から釣糸（ロ）はフリーな状態となって伸びることが出来る。逆に、釣糸（ロ）をリール（ハ）に巻き取る場合も同じであり、トップガイド（チ）から進入してラインガイド（ト）、（ト）・・・に沿ってスライドする。
【０００４】
ところで、釣糸（ロ）のスライド走行をガイド（案内）するためのラインガイド（ト）、（ト）・・・及びトップガイド（チ）が釣竿（イ）に取り付けられるが、これらガイドの多くは円環形をしたガイドリングをフレームのリング保持穴に嵌めた構造と成っている。
通常、ガイドリングは耐摩耗や耐熱との関係から、セラミックスや硬質の金属材料によって形成され、フレームは金属板により絞り成形されている。
【０００５】
特開平１１−２２５６２８号に係る「魚釣用ラインガイド」は、フレームのリング保持孔にガイドリングを圧入状態に保持したラインガイドであり、リング保持孔に設けた微小な仮止め突起でガイドリングを仮止めすることでリングの寸法誤差を吸収し、最終的にフレームとリングとを接着固定した構造としている。
すなわち、フレームの材料には従来より薄い板厚のものを使用し、リング保持孔の内周縁には仮止め突起を設け、リング保持部は内周縁寄り部分を残して筒形に絞り加工し、この筒形をした部分とガイドリングとを接着剤で固定している。
【０００６】
上記魚釣用ガイドラインは金属製の薄い板材を用いて成形されるフレームである為に剛性は低く、リング保持孔に圧入しただけではガイドリングを強固に保持することは出来ない。その為に、該リング保持孔にガイドリングを固定するに際して接着剤が使用されている。しかし、ガイドリングの圧入工程の他に接着工程を要すことで製作工数は大きくなり、コストも高く成る。
【特許文献１】特開平１１−２２５６２８号に係る「魚釣用ラインガイド」
【発明の開示】
【発明が解決しようとする課題】
【０００７】
このように、従来の釣糸のガイドには上記のごとき問題がある。本発明が解決しようとする課題はこの問題点であり、従来のようなガイドリングを用いることなく構成することが出来るトップガイド、ラインガイド、及びベールアームなどを提供する。
【課題を解決するための手段】
【０００８】
本発明に係るトップガイドやラインガイドは一般に従来のガイドリングを用いないで構成している。その為に、上記部材は細い釣糸が高速でスライドして擦れ合っても摩耗することのない材質が用いられている。そこで、本発明では金属ガラスを用いて上記部品を構成している。
金属ガラスは、金属元素を主成分とする非結晶性の合金で、ガラス移転が明確に観察されるアモルファス金属であり、高強度・高硬度、耐摩耗性、耐食性に優れた材質である。
【０００９】
本発明が対象とするトップガイドやラインガイド等には釣糸が係合することで大きな力が作用し、またリールが回転する場合には高速でスライドする釣糸が摩擦接触することで、各部品には高強度、高硬度、耐摩耗性が要求される。一方、常に塩水にさらされることで耐食性も必要である。
そこで、この金属ガラスを用いてプラスチックを成形するように、所定の金型に射出することでトップガイドやラインガイドなどを成形することが出来る。
一方、トップガイドやラインガイドは従来と同じ金属製とし、ガイドリングを金属ガラスにて成形したものを嵌めて構成することもある。
【発明の効果】
【００１０】
本発明に係るガイドは、従来のような金属材を用いて絞り加工したものではなく、また鍛造加工したものではなく、金属ガラスを材質としたガイドである。
魚を釣る際に大きな張力が釣糸に働くが、この張力の作用によるガイドの破損を抑制することが出来る。
また、大きな張力が働いている釣糸を巻き取る際には、ガイドに擦れ合って大きな摩擦を伴って接触をするが、耐摩耗性に優れた金属ガラス製のガイドは、別部品として製作されるセラミック製のガイドリングを嵌めなくても、摩擦接触に伴うガイドの摩耗を抑制できる。
【００１１】
さらに、耐食性に優れた金属ガラス製のガイドは、塩水にさらされても錆びることはなく、釣具の耐久性は高く、その寿命は従来の釣具に比較して大幅に延びる。
一方、金属ガラスはプラスチックと同じく射出成形することが出来、その為に鍛造加工に比較して製作は比較的簡単であり製作コストは安くなる。
【図面の簡単な説明】
【００１２】
【図１】釣竿の先端に取付けられるトップガイド示す実施例。
【図２】トップガイドを釣竿の先端に取付けた場合の断面図。
【図３】ラインガイドを示す実施例。
【図４】リールに取付けられるベールームを示す実施例。
【図５】一般的な釣具を示す具体例。
【発明を実施するための形態】
【００１３】
図１は本発明に係るガイドの外観を示す実施例であり、釣竿の先端に取付けるトップガイド１である。トップガイド１はフレーム２と取付け部３から成り、フレーム２は貫通した穴４を有している。取付け部３は筒形を成し、そして取付け部３には嵌入穴５を設けている。ところで、該トップガイド１は釣竿の先端に取付けられ、釣竿の先端部は上記嵌入穴５に嵌入することが出来る。
【００１４】
本発明の上記トップガイド１は従来の金属製とは異なり、金属ガラスを材質として射出成形したものであり、その為に金属ガラスの特性を備えて強度は高くて釣糸の大きな張力の作用で破損することはなく、釣糸が擦れても摩耗しにくく、また塩水にさらされてもサビルことはない。
ここで、図１に示すトップガイド１の形態はあくまでも１具体例に過ぎず、その形状は限定しない。
【００１５】
ところで、金属ガラスは延性が低いために塑性加工することは容易でないが、４００℃以上に加熱するならば、プレス成形することも可能となる。すなわち、冷間加工は出来なくても、温間加工又は熱間加工することは出来る。
しかし、一般的には射出成形にて該トップガイド１を容易に加工することが出来、冷間成形用の金型のように短期間で損傷することはなく、一旦製作した金型は半永久的に使うことが出来る。
【００１６】
金属ガラスとは、金属元素を主成分とした非結晶性の合金で、ガラス移転が明確に観察されるアモルファス金属である。
そこで、ガラス金属の特性は、その破壊強度及び降伏応力は非常に高く、破壊強度は１６５６ＭＰａ、降伏応力は１６５６ＭＰａであり、チタンの破壊強度が３４３ＭＰａ、降伏応力が２１５ＭＰａ、ステンレスの破壊強度が６６０ＭＰａ、降伏応力が２６０ＭＰａに比較して高い値を示している。
また、金属ガラスのビッカース硬さは５２０ＭＨＶであり、これもチタンのビッカース硬さが２０２ＭＨＶ、ステンレスのビッカース硬さが１６８ＭＨＶであるのに対して非常に高い値を示している。
【００１７】
これに対して、金属ガラスの融点は８８５℃であり、チタンの融点が１６６８℃、ステンレスの融点が１４００℃であるのに対してかなり低い値と成っている。その為に、冷間鍛造（冷間成形）は非常に困難であるが、温間成形は比較的容易である、さらには比較的低温で溶融する為に、プラスチック樹脂と同じように射出成形を行うことが出来る。
【００１８】
図２は釣竿６の先端部にトップガイド１を取付けている場合である。フレーム２と取付け部３とのコーナー部には繋ぎ部８が形成され、該フレーム２に作用する外力に対しての強度が確保されている。すなわち、魚を釣り上げる際には釣糸に大きな張力が発生するが、この張力はトップガイド１のフレーム２に作用し、その為に取付け部３との間に湾曲した繋ぎ部７を設けて破損しないように補強している。
【００１９】
取付け部３は細長い筒形とし、軸方向に嵌入穴５が貫通して設けられている。この嵌入穴５に釣竿６の先端部が嵌入して取付けられる。釣竿６は先端側が細く成っている為に、嵌入穴５には適当な長さ分が嵌り、時には嵌入穴５から釣竿先端が突出する場合もある。  そして、嵌入穴５は多角形断面としていて、釣竿６に嵌って取付けたトップガイド１が回転しないように成っている。
【００２０】
図３はラインガイド８を示す具体例である。ラインガイド８はリールから上記トップガイド１の間の釣竿に取付けられて、釣糸が釣竿に沿ってスライドする為のガイドである。  ところで、ラインガイド８はフレーム９と取付け部１０から成り、フレーム９には釣糸が挿通する穴１２を有し、フレーム９と取付け部１０との間には補強用の繋ぎ部１１を設けている。
そして、このラインガイド８もトップガイド１と同じく金属ガラスを材質として成形される。
【００２１】
ところで、ラインガイド８は釣竿６の中間に取付けされる為に、該取付け部１０が釣竿６に面して糸で締め付けて固定される。
図４はリールに取付けられるベールーム１３を示す実施例である。このベールーム１３も金属ガラスを材質として成形され、湾曲したアーム１４とその先端に穴を形成したフレーム１５を有している。
【００２２】
このように、本発明のトップガイド１及びラインガイド８は金属ガラスを材質として成形されたもので、その強度・硬度は高く、また耐摩耗性にも優れている。しかし、該トップガイド１及びラインガイド８を従来と同じく金属板を絞り成形したり又は鍛造加工した部品に、金属ガラスで製作したガイドリングを嵌めて構成することもある。
【符号の説明】
【００２３】
１   トップガイド
２   フレーム
３   取付け部
４   穴
５   嵌入穴
６   釣竿
７   繋ぎ部
８   ラインガイド
９   フレーム
10   取付け部
11   繋ぎ部
12   穴
13   ベールーム
14   アーム
15   フレーム
【図１】
2017216969.tif 000003
【図２】
2017216969.tif 000004
【図３】
2017216969.tif 000005
【図４】
2017216969.tif 000006
【図５】
2017216969.tif 000007